(57)【特許請求の範囲】
【請求項１】
多数枚のカードを積載収容するカード収容部と、
該カード収容部に着脱自在であって、前記カード収容部に積載収容された前記多数枚のカードを、その最下面から一枚ずつカード払出口から払い出すカード払出部
とを具えたカード払出し装置において、
前記カード収容部に形成され、該カード収容部に積載収容された前記多数枚のカードのうち複数枚のカードを一時に排出するカード排出孔と、
前記カード収容部であって前記カード排出孔の上方に配設され、付勢手段を介しその先端が前記カード排出孔に突出した上下動自在のレバーと、
前記カード払出部であって前記カード排出孔に隣接した位置に形成され、前記カード収容部を前記カード払出部に装着する際前記レバーの先端と当接する当接部とを具え、
前記カード収容部を前記カード払出部に装着する際、前記レバーの先端が前記当接部に当接して上動し前記カード排出孔を拡開させるようにしたことを特徴とするカード払出し装置。
【発明の詳細な説明】
【０００１】
【発明の属する技術分野】
この発明はテレホンカード、あるいはオレンジカード等の比較的板厚が薄いカードを複数枚積載収容し、その積載収容した複数枚のカードをその最下面から一枚ずつ払い出すようにしたカード払出し装置に関し、特にカード補給作業その他保守点検作業の向上を図ったカード払出し装置に関する。
【０００２】
【従来の技術】
従来より、テレホンカード等を販売するカード自動販売機の機器筐体内には、投入金額に応じたカードを払い出すカード払出し装置が設置されている。
【０００３】
このカード払出し装置は、大別して、多数枚のカードを積載収容するカード収容部と、このカード収容部に積載された多数枚のカードのうち、その最下面にあるカードをカード払出口から一枚ずつ押し出すカード払出部とから構成されている。
【０００４】
一方、この従来のカード払出し装置には、本願出願人が先に提案した特願平９−０４２３０７号の明細書に記載されているように、カード収容部のうち、該カード収容部に積載収容されたカードをカード払出部に向け排出するカード排出孔に改良を加える等して、カード収容部からカード払出部に向け搬送されるカードが、カード板厚方向に変形したカードであっても該カードをカード排出孔付近で詰まることなく搬送しカード払出口から払い出すようにしたものがある。
【０００５】
なお、上述したカード払出し装置の詳細については、特願平９−０４２３０７号の明細書を参照されたい。
【０００６】
ここでは、上述した特願平９−０４２３０７号の明細書に記載されたカード払出し装置の概略について説明する。
【０００７】
特願平９−０４２３０７号の明細書に記載されたカード払出し装置は、図７で示すように、多数枚のカードを積載収容するカード収容部２と、このカード収容部２に積載された多数枚のカードのうち、その最下面にあるカードを図示せぬカード払出口から一枚ずつ押し出すカード払出部２１とから構成されている。
【０００８】
また、このうち、カード収容部２は、概念断面図で示す図８のように、カード払出部２１（図７）に着脱自在に位置決め装着されるカセットベース３と、カード挿入口４を具えカセットベース３上面に図示せぬネジ等の締着手段により位置決め装着されるカセットボックス５と、カード挿入口４を覆うようにカセットベース３に対し位置決め装着される開閉自在なカセットドア８と、カセットベース３およびカセットボックス５内に配設され、補給される複枚のカード６１をカセットベース３の底面に押し付ける押圧手段９とから構成されている。
【０００９】
また、このうちのカセットベース３には、図７、図８と同一部分を同一符号で示す図９のように、カード収容部２に積載収容されたカード６１をカード払出部２１に搬送するため、カード払出口２２側にカード排出孔１１が形成されており、該カード排出孔１１の上方１１ａには、カセットベース３をカード払出部２１に対し位置決め装着させるリブ１２の一端１２ａが突出している。なお、カセットベース３の底面にはカードの払出方向に沿って後述するスライドが往復走行する溝３ａが形成されている。
【００１０】
また、カード排出孔１１底面１１ｂとリブ１２一端１２ａ間の距離は、複数枚のカード６１を一時にカード払出部２１に排出することができる大きさ、すなわち、複数枚のカード６１を積載した板厚となるように設定されている。
【００１１】
また、カード払出部２１には、往復走行し往路走行中カード収容部２に積載収容された多数枚のカード６１のうちその最下面にあるカードの後端と係合し、該カードをカード払出口２２に押し出すスライダー２３と、シャッターレバー２４およびリンク機構２５からなり該カード排出孔１１を開閉するシャッター手段２６と、該カード排出孔１１から排出された複数枚のカード６１がカード払出口２２に一時に搬送されること、すなわち、ダブルフィードを防止する二重搬送防止手段２７が配設されている。
【００１２】
また、このうちの二重搬送防止手段２７は、カード６１をカード搬送路２８の下面に押し付け順次剥離するローラ２９と、所定以上の板厚のカードがカード搬送路２８内を通過することをを制限する図示せぬシックネススクリューとから構成されている。
【００１３】
このカード払出し装置５１では、このカード収容部２に積載された多数枚のカード６１のうちその最下面にあるカードを、往復走行するスライダー２３にそのカード後端を係合させ、これにより、該カード６１をカード払出口２２から一枚ずつ押し出すようにしている。
【００１４】
また、このカード払出し装置５１では、カード排出孔１１底面１１ｂとリブ１２一端１２ａ間の距離を、複数枚のカード５１を一時にカード払出部２１に排出することができる大きさに設定しているから、カード収容部２からカード払出部２１に向け搬送されるカード６１が、カード板厚方向に変形したカードである場合、該カード６１がカード排出孔１１付近で詰まることは可及的に防止される。
【００１５】
また、このカード払出し装置５１では、シャッターレバー２４からなるシャッター手段２６、および二重搬送防止手段２７を配設しているから、図９と同一部分を同一符号で示す図１０のように、上述したカード排出孔１１から複数枚のカード６１がカード払出部２１のカード搬送路２８に排出された場合であっても、二重搬送防止手段２７により最下面に位置するカード以外の複数枚のカード６１が下流に搬送されることは可及的に阻止され、また、図１０の矢印Ａで示すようにシャッターレバー２４を閉塞する際その押圧力により該複数枚のカードは図９で示す初期位置に再び位置決めされるので、これにより待機状態に復帰することができる。
【００１６】
このようなカード払い出し装置５１にカード６１を補給するには、図７で示すラッチレバー１５を操作してカード収容部２をカード払出部２１から離脱した後、カード収容部２のカード挿入口４を覆うカセットドア８を拡開してカード挿入口４を解放し、その後、図８で示す押圧手段９を持ち上げ、カセットボックス５内に新たなカード６１を補給するようにしている。
【００１７】
また、図９で示すカード払出部２１の保守点検をする場合には、カード６１を補給する場合と同様、図７で示すラッチレバー１５を操作してカード収容部２をカード払出部２１から離脱して、その作業を行うようにしている。
【００１８】
【発明が解決しようとする課題】
ところで、従来のカード払出し装置５１では、該カード払出し装置５１にカード６１を補給するには、図７で示すラッチレバー１５を操作してカード収容部２をカード払出部２１から離脱した後、カード収容部２のカード挿入口４を覆うカセットドア８を拡開してカード挿入口４を解放し、その後、図８で示す押圧手段９を持ち上げ、カセットボックス５内に新たなカード６１を補給するようにしているが、カード払出部２１に着脱自在にされるカセットベース３は、そのカード排出孔１１底面１１ｂとリブ１２一端１２ａの間の距離が、複数枚のカード６１を積載した板厚となるよう設定されているから、カード６１を補給するためカード収容部２をカード払出部２１から離脱した際に、離脱したカード収容部２がオペレータによってそのカード排出孔１１側が下に向くように傾けられた場合、カセットボックス５内に積載収容された残留カード６１が、図８の一点鎖線で示すようにカード排出孔１１底面１１ｂとリブ１２一端１２ａとの間から矢印Ｂの方向に突出して落下したり、さらにこのカード６１の落下に続けて当該部分から押圧手段９が落下したりすることがあり、そのため、カード補給作業が安全に行われないという問題があった。
【００１９】
また、図９で示すカード払出部２１の保守点検を行う場合にも、図７で示すラッチレバー１５を操作してカード収容部２をカード払出部２１から離脱するようにしているから、カード払出部２１から離脱されたカード収容部２が、オペレータによってそのカード排出孔１１側が下に向くように傾けられた場合にはカード５１の補給作業と同様の問題が生じていた。
【００２０】
この発明は上述した事情に鑑み、カード補給作業等、その保守点検作業の向上を図ったカード払出し装置を提供することを目的とする。
【００２１】
【課題を解決するための手段】
上述した課題を解決するため、この発明では、多数枚のカードを積載収容するカード収容部と、該カード収容部に着脱自在であって、前記カード収容部に積載収容された前記多数枚のカードを、その最下面から一枚ずつカード払出口から払い出すカード払出部とを具えたカード払出し装置において、前記カード収容部に形成され、該カード収容部に積載収容された前記多数枚のカードのうち複数枚のカードを一時に排出するカード排出孔と、前記カード収容部であって前記カード排出孔の上方に配設され、付勢手段を介しその先端が前記カード排出孔に突出した上下動自在のレバーと、前記カード払出部であって前記カード排出孔に隣接した位置に形成され、前記カード収容部を前記カード払出部に装着する際前記レバーの先端と当接する当接部とを具え、前記カード収容部を前記カード払出部に装着する際、前記レバーの先端が前記当接部に当接して上動し前記カード排出孔を拡開させるようにしている。
【００２２】
【発明の実施の形態】
以下、この発明に係わるカード払出し装置を詳述する。
【００２３】
図１は、この発明のカード払出し装置の要部概念断面図で、特にカード収容部をカード払出部に装着した様子を示している。なお、図１では、図７乃至図１０と同一機能を有する部分を同一符号で示している。
【００２４】
このカード払出し装置３１は、その内部に多数枚のカード６１を積載収容するカード収容部３２と、このカード収容部３２に積載された多数枚のカード６１のうち、その最下面にあるカードをカード払出口２２から一枚ずつ押し出すカード払出部２１とから構成されている。
【００２５】
このうち、カード収容部３２は、カード払出部２１に着脱自在に位置決め装着されるカセットベース３３と、カード挿入口４を具えカセットベース３３上面に図示せぬネジ等の締着手段により位置決め装着されるカセットボックス５と、カード挿入口４を覆うようにカセットベース３３に対し位置決め装着される開閉自在なカセットドア８と、カセットベース３３およびカセットボックス５内に配設され、補給される複枚のカード６１をカセットベース３３の底面に押し付ける押圧手段９とから構成されている。
【００２６】
また、このうち、カセットベース３３は、カード払出口２２側に配設され、カード収容部３２に積載収容された多数枚のカード６１のうち複数枚のカードを一時に排出する前記カード排出孔１１と、該カード排出孔１１の上方１１ａに配設された一本のレバー３４と、該レバー３４を上下動自在に支承する付勢手段３５とから構成されている。
【００２７】
また、このうちの付勢手段３５は、カード収容部３２に積載収容されたカード６１のカード幅方向略中央に突設した両端開放の筒状体３６に嵌挿するばね３７と、ばね３７の一端を支承するとともに筒状体３６の一方のカード排出孔３６ａを覆う支承部材３８と、図１のＣ−Ｃ概念断面図で示す図２のように、筒状体３６を両側方から挟むように配設され、支承部材３８をカセットベース３３に対し位置決め支承する枠体３９とから構成されている。
【００２８】
なお、このうちの支承部材３８は、ばね３７の一端を位置決め支承する突起３８ａがその下面に形成された支承部３８ｂと、枠体３９と筒状体３６との間の一対の間隙にそれぞれ嵌挿される一対の係合爪３８ｃとから構成されている。
【００２９】
また、レバー３４は、断面円形の棒部材であって、筒状体３６の他方のカード排出孔３６ｂから出没自在の先端３４ａと、ばね３７の他端を位置決め支承する図示せぬ突起が上面に形成され、他方のカード排出孔３６ｂの径より若干大きい径を有する後端３４ｂとから構成されている。
【００３０】
また、図１および図２で示すようにカード収容部３２がカード払出部３３に対し位置決め装着されている状態では、レバー３４の先端３４ａは凹部４１に当接し、これによりレバー３４は付勢手段３５の付勢力に抗し上動した状態に位置決めされ、図１で示すようにレバー３４によるカード排出孔１１の拡開が図られている。
【００３１】
なお、枠体３９は、図１で示すように、カード払出部２１の筐体４３の一部４３ａに当接しカセットベース３３をカード払出部２１に対し位置決め装着させるリブ１２と一体形成されている。
【００３２】
なお、図１で示すカセットベース３３の底面にはカードの払出方向に沿って図示せぬスライドが往復走行する図示せぬ溝が形成されている。また、カード払出し装置５１の要部平面図で示す図３のように、カセットドア８の正面には、カセットドア拡開用のラッチ４０が配設されている。
【００３３】
一方、カード払出部２１には、図１で示すカード収容部３２装着時にレバー３４の先端３４ａと当接する凹部からなる当接部４１と、往復走行し往路走行中カード収容部２に積載収容された多数枚のカード６１のうちその最下面にあるカードの後端と係合し、該カードをカード払出口２２に押し出す図示せぬスライダーと、シャッターレバー２４およびリンク機構２５からなり、カード収容部装着時にレバー３４により拡開が図られているカード排出孔１１を下方から開閉するシャッター手段２６と、該カード排出孔１１から排出された複数枚のカード６１が前記カード払出口２２に一時に搬送されること、すなわち、ダブルフィードを防止する二重搬送防止手段２７とが配設されている。
【００３４】
また、このうちのシャッター手段２６は、図１で示す初期状態において、そのシャッターレバー２４先端２４ａで、レバー３４により拡開が図られているカード排出孔１１を下方から閉塞しており、該カード排出孔１１からその一部が露出する複数枚のカード６１を覆っている。
【００３５】
なお、二重搬送防止手段２７は、カード６１をカード搬送路２８の下面に押し付け順次剥離するローラ２９と、所定以上の板厚のカードがカード搬送路２８内を通過することをを制限する図２で示すシックネススクリュー４２とから構成されている。
【００３６】
このようにカード収容部３２がカード払出部２１に装着されたカード払出し装置３１では、図１で示す初期位置において、図示せぬシャッターモータが駆動すると、図１の矢印Ｄで示すようにシャッターレバー３４がカード排出孔１１を拡開し、これにより該カード排出孔１１から複数枚のカード６１が露出するので、このときスライダー駆動手段の駆動より図示せぬスライダーが往路方向に走行すると、カード排出孔１１からその一部が露出している複数枚のカード６１のうち、その最下面にあるカードは、スライダーにそのカード後端で係合し、これにより、図１と同一部分を同一符号で示す図４の矢印Ｅのように、カード払出口２２から一枚ずつ押し出されることとなる。
【００３７】
なお、このカード払出し装置３１では、カード排出孔１１底面１１ｂと当接部４１内面間の距離は、複数枚のカード６１を一時にカード払出部２１に排出することができる大きさに設定されているから、カード収容部３２からカード払出部２１に向け搬送されるカード５１がカード板厚方向に変形したカードである場合、該カード５１がカード排出孔１１付近で詰まることは可及的に防止されることはいうまでもない。
【００３８】
また、このカード払出し装置３１では、シャッターレバー２４からなるシャッター手段２６、および二重搬送防止手段２７を配設しているから、図１と同一部分を同一符号で示す図５のように、上述したカード排出孔１１から複数枚のカード６１がカード払出部２１のカード搬送路２８に排出された場合であっても、二重搬送防止手段２７により最下面に位置するカード以外の複数枚のカード６１が下流に搬送されることは可及的に阻止され、また、図５の矢印Ｆで示すように、シャッターレバー２４を閉塞する際その押圧力により該複数枚のカードは図１で示す初期位置に再び位置決めされるので、これにより待機状態に復帰することができることはいうまでもない。
【００３９】
次に、このカード払出し装置３１にカード６１を補給する場合について説明する。このカード払出し装置３１にカード６１を補給するには、まず、図２で示すラッチレバー１５を操作して、カード収容部３２をカード払出部２１から離脱する。
【００４０】
カード収容部３２をカード払出部２１から離脱すると、図６で示すようにレバー３４の先端３４ａは付勢手段３５の付勢力により下動し、これによりカード排出孔１１に突出して該カード排出孔１１は閉塞される。
【００４１】
したがって、離脱したカード収容部３２がオペレータによってそのカード排出孔１１側が下に向くように傾けられた場合でも、カセットボックス５内に積載収容された残留カード６１は、図７の一点鎖線で示すようにその側面がレバー３４の周面に当接するから、該カードがカード排出孔１１から突出して落下したり、さらにこのカード６１の落下に続けて当該部分から押圧手段９が落下したりする虞は可及的に阻止されることとなる。
【００４２】
したがって、このカード払出し装置３１によれば、カード補給作業の安全性を向上することができる。
【００４３】
また、その後、カード収容部３２のカード挿入口４を覆うカセットドア８をカセットドア拡開用のラッチ４０の操作により拡開してカード挿入口４を解放し、その後、図７で示す押圧手段９を持ち上げると、カセットボックス５内に新たなカード６１を収容するスペースが確保されるから、このスペースを利用して新たなカードを補給することができる。
【００４４】
なお、カード収容部３２に新たなカード６１を補給した後、該カード収容部３２をカード払出装置３１に装着すると、レバー３４は、付勢手段３５の付勢力に抗してその先端３４ａが上動して当接部４１に当接し、これにより図１で示すレバー３４による該カード排出孔１１の拡開が図られた初期位置に復帰する。
【００４５】
また、カード払出部２１の保守点検作業をする場合には、カード６１を補給する場合と同様、図２で示すラッチレバー１５を操作してカード収容部２をカード払出部２１から離脱すれば、その作業を行うことができるが、カード収容部３２をカード払出部２１から離脱する際には、上述したようにレバー３４の先端３４ａは付勢手段３５の付勢力により下動し、これによりカード排出孔１１に突出して該カード排出孔１１は閉塞されるから、離脱したカード収容部３２がオペレータによってそのカード排出孔１１側が下に向くように傾けられた場合であっても、カセットボックス５内に積載収容された残留カード６１は、図７の一点鎖線で示すようにその側面がレバー３４の周面に当接するから、該カードがカード排出孔１１から突出して落下したり、さらにこのカード６１の落下に続けて当該部分から押圧手段９が落下したりする虞は可及的に阻止される。
【００４６】
したがって、このカード払出し装置３１によれば、保守点検作業の際の安全性を向上することができる。
【００４７】
また、レバー３４を断面円形の棒部材から構成したから、離脱したカード収容部３２がオペレータによってそのカード排出孔１１側が下に向くように傾けられた場合に、カセットボックス５内に積載収容された残留カード６１はレバー３４の周面と線接触することとなり、カードがレバーに当接することによる損傷は、可及的に阻止される。
【００４８】
なお、上記実施例では、レバー３４を断面円形の棒部材から構成したが、この形状に限定せず、例えば、断面矩形状の棒部材から構成してもよい。
【００４９】
なお、上記実施例では、カード排出孔１１を開閉するレバー３４を、カード６１のカード幅方向略中央に一本配設するようにしたが、レバーの本数および配置位置はこれに限定されず、複数本のレバー３４をカード６１のカード幅方向に配設するようにしてもよく、またその際該複数本のレバー３４をカード６１のカード幅方向に対称に配設するようにしてもよい。
【００５０】
【発明の効果】
以上説明したように、この発明のカード払出装置では、カード収容部に形成され、該カード収容部に積載収容された前記多数枚のカードのうち複数枚のカードを一時に排出するカード排出孔と、前記カード収容部であってカード排出孔の上方に配設され、付勢手段を介しその先端が前記カード排出孔に突出した上下動自在のレバーと、前記カード払出部であって前記カード排出孔に隣接した位置に形成され、前記カード収容部を前記カード払出部に装着する際前記レバーの先端と当接する当接部とを具え、前記カード収容部を前記カード払出部に装着する際、前記レバーの先端が前記当接部に当接して上動し、前記カード排出孔を拡開させるようにしたから、カード払出し装置にカードを補給する場合、または、カード払出部の保守点検を行う際、カード払出部に装着されたカード収容部をカード払出部から離脱すると、レバーの先端は付勢手段の付勢力により下動し、これによりカード排出孔に突出して該カード排出孔は閉塞される。
【００５１】
したがって、離脱したカード収容部がオペレータによってそのカード排出孔側が下に向くように傾けられた場合であっても、カセットボックス内に積載収容された残留カードはレバーに当接し、これにより該カードがカード排出孔から突出して落下したり、さらにこのカードの落下に続けて当該部分から押圧手段が落下したりする虞を可及的に阻止することができる。
【００５２】
したがって、このカード払出し装置によれば、カード補給作業等、その保守点検作業の安全性を向上することができる。
【図面の簡単な説明】
【図１】図１はこの発明に関わるカード払出し装置の要部概念断面図。
【図２】図２は図１のＣ−Ｃ概念断面図。
【図３】図３はカード払出し装置の要部平面図。
【図４】図４はこの発明に関わるカード払出し装置の動作を示す要部概念断面図。
【図５】図５はこの発明に関わるカード払出し装置の動作を示す要部概念断面図。
【図６】図６はこの発明に関わるカード払出し装置を構成するカード収容部の概念断面図。
【図７】図７は従来のカード払出し装置の概念平面図。
【図８】図８は従来のカード払出し装置を構成するカード収容部の概念断面図。
【図９】図９はこの発明に関わるカード払出し装置の動作を示す要部概念断面図。
【図１０】図１０はこの発明に関わるカード払出し装置の動作を示す要部概念断面図。
【符号の説明】
１１…カード排出孔
２…カード収容部
２１…カード払出部
２２…カード払出口
３１…カード払出し装置
３４…レバー
３４ａ…先端
３５…付勢手段
６１…カード
【図１】
0003772030.tif 000002
【図２】
0003772030.tif 000003
【図３】
0003772030.tif 000004
【図４】
0003772030.tif 000005
【図５】
0003772030.tif 000006
【図６】
0003772030.tif 000007
【図７】
0003772030.tif 000008
【図８】
0003772030.tif 000009
【図９】
0003772030.tif 000010
【図１０】
0003772030.tif 000011